(57)【要約】【課題】  一箇所に止まって洗濯物を円滑に干せると共に取り込むことができる物干し具を提供する。【解決手段】  物干し具は、集合住宅のベランダに設置された界壁等の構造物１０に、取り付け具５を介して固定ボルト９によって取り付けられており、洗濯物１２が掛けられたハンガー８の鉤部を物干し具のアーチ状突出部３Ｂに形成された開口部３Ｃに通してハンガー８が紐体３に掛けられており、また、他の洗濯物１２はアルミポール４に直接掛けられている。【選択図】  図７
0003113162.tif 000002
【実用新案登録請求の範囲】
【請求項１】
複数の回転体と、該回転体に巻回されて前記回転体間を移動すると共に、移動方向に対して略平行に配置される第１の部材と移動方向に対して略垂直に配置される第２の部材とからなる移動体と、前記回転体及び前記第１の部材を収容する収容体とを備える物干し具であって、
前記収容体の少なくとも下方にスリット溝が形成されており、
前記第２の部材によって閉塞領域が形成されており、
前記スリット溝の幅方向の長さよりも同幅方向と略同一方向の前記第１の部材の長さの方が長いと共に、前記スリット溝の幅方向の長さよりも同幅方向と略同一方向の前記第２の部材の長さの方が短い
物干し具。
【請求項２】
複数の回転体と、該回転体に巻回されて前記回転体間を移動するメインロープと、前記回転体及び前記メインロープを収容する収容体とを備える物干し具であって、
前記メインロープは、平面視した際に前記メインロープとの間に閉塞領域を形成するように前記メインロープに取り付けられた、前記メインロープの径よりも小さい径を有するサブロープを備えており、
前記メインロープの径よりも小さいと共に前記サブロープの径よりも大きい幅を有するスリット溝が前記収容体の少なくとも下方に形成されている
物干し具。
【請求項３】
構造物に取り付けられると共に前記回転体及び前記収容体を支持する支持体を備える
請求項２に記載の物干し具。
【請求項４】
前記回転体の数は２つであり、
前記サブロープの形状は略アーチ状であり、
前記収容体の形状は略円筒状であり、
前記スリット溝は前記メインロープに沿って形成されている
請求項２に記載の物干し具。
【考案の詳細な説明】
【技術分野】
【０００１】
本考案は物干し具に関する。詳しくは、一箇所に止まって洗濯物を干したり取り込んだりできるようにした物干し具に係るものである。
【背景技術】
【０００２】
洗濯物を干す場合、物干し竿等に洗濯物を直接掛けたり、洗濯物をハンガー等に掛けてから、このハンガー等を物干し竿等に吊り下げたりするが、洗濯物の量が多いと物干し竿等の端から端にわたって洗濯物を干すために移動しなければならず、体に負担がかかっていた。
【０００３】
そこで、洗濯物を干す作業が簡便に行なえる様々な器具が提案されている。例えば特許文献１には、物干し竿に簡単に装着できる移動式物干し具によって、移動式物干し具に掛けられたハンガーを、手の届きにくい位置へも自由に移動させることが記載されている。
【０００４】
図９は、従来の物干し具の実施態様を示す概略斜視図である。物干し具本体１０１には、物干し具本体をスライドまたは１８０°回転させる時に使う取っ手１０２と、風によるハンガー１０５の移動を抑制する突起１０３が取り付けられており、物干し具本体はスライドするよう物干し竿１０４に取り付けられている。
【０００５】
【特許文献１】特開平１０−１５１２９８号公報
【考案の開示】
【考案が解決しようとする課題】
【０００６】
しかしながら、従来の物干し具では、ハンガー等を取り込む際に、物干し具本体を１８０°回転させて物干し具本体に掛かっていたハンガーを物干し竿に掛け、そして物干し具本体をスライドさせて、上部に移動した取っ手にハンガーを引っ掛けて１箇所に集め、手元へ引き寄せているものの、ハンガーと物干し竿との間の滑り具合が悪いと、ハンガーが取っ手に絡んでハンガーが落下する可能性もあり、また、ハンガーを使わず物干し竿に直に掛けたタオル等を取り込むために、取っ手にタオル等を引っ掛けて取っ手と共にタオル等をスライドさせると、タオル等が磨耗する可能性があり問題であった。
【０００７】
本考案は、以上の点に鑑みて創案されたものであり、一箇所に止まって洗濯物を円滑に干せると共に取り込むことができる物干し具を提供することを目的とする。
【課題を解決するための手段】
【０００８】
上記の目的を達成するために、本考案の物干し具は、複数の回転体と、該回転体に巻回されて前記回転体間を移動すると共に、移動方向に対して略平行に配置される第１の部材と移動方向に対して略垂直に配置される第２の部材とからなる移動体と、前記回転体及び前記第１の部材を収容する収容体とを備える物干し具であって、前記収容体の少なくとも下方にスリット溝が形成されており、前記第２の部材によって閉塞領域が形成されており、前記スリット溝の幅方向の長さよりも同幅方向と略同一方向の前記第１の部材の長さの方が長いと共に、前記スリット溝の幅方向の長さよりも同幅方向と略同一方向の前記第２の部材の長さの方が短い。
【０００９】
ここで、第２の部材によって閉塞領域が形成されていることによって、例えばハンガーの鉤部を閉塞領域に通してハンガーを紐体に掛けることで、風等によるハンガーの移動を抑制できる。また、回転体及び第１の部材を収容する収容体によって、洗濯物を掛けるために第１の部材をしっかりと張る必要がなく、更に、第２の部材によって形成された閉塞領域に、洗濯物が掛けられたハンガーの鉤部等を掛けて洗濯物を干す場合でも、洗濯物の重みによる第１の移動体の弛みを抑制できる。
【００１０】
また、上記の目的を達成するために、本考案の物干し具は、複数の回転体と、該回転体に巻回されて前記回転体間を移動するメインロープと、前記回転体及び前記メインロープを収容する収容体とを備える物干し具であって、前記メインロープは、平面視した際に前記メインロープとの間に閉塞領域を形成するように前記メインロープに取り付けられた、前記メインロープの径よりも小さい径を有するサブロープを備えており、前記メインロープの径よりも小さいと共に前記サブロープの径よりも大きい幅を有するスリット溝が前記収容体の少なくとも下方に形成されている。
【００１１】
ここで、平面視した際にメインロープとの間に閉塞領域を形成するようにメインロープに取り付けられた、メインロープの径よりも小さい径を有するサブロープによって、例えばハンガーの鉤部を閉塞領域に通してハンガーを紐体に掛けることで、風等によるハンガーの移動を抑制できる。また、回転体及びメインロープを収容する収容体によって、洗濯物を掛けるためにメインロープをしっかりと張る必要がなく、更に、メインロープとサブロープとの間に形成された閉塞領域に、洗濯物が掛けられたハンガーの鉤部等を掛けて洗濯物を干す場合でも、洗濯物の重みによるメインロープの弛みを抑制できる。
【考案の効果】
【００１２】
本考案に係る物干し具によって、一箇所に止まって洗濯物を円滑に干せると共に取り込むことができる。
【考案を実施するための最良の形態】
【００１３】
以下、本考案の実施の形態について図面を参照しながら説明し、本考案の理解に供する。図１は、本考案を適用した物干し具の一例を示す概略平面図である。物干し具１は、滑車ボルト２Ｂを軸に回転する滑車回転車部２Ａからそれぞれなる２つの滑車２（回転体の一例）と、滑車回転車部に巻回されて滑車回転車部の回転により２つの滑車間を移動する紐体３と、紐体を支持すると共に紐体に沿ってスリット溝（図示せず。）が形成された、滑車と紐体本体を収容したアルミポール４（収容体の一例）と、滑車を壁等の構造物に取り付けると共に滑車や収容体を支持する取り付け具５から構成されており、紐体３（移動体の一例）は、紐体本体３Ａ（メインロープ）（第１の部材の一例）と、紐体本体から突出する、開口部３Ｃ（閉塞領域）が形成されたアーチ状突出部３Ｂ（サブロープ）（第２の部材の一例）からなる。また、アーチ状突出部３Ｂは、アルミポール４の下方に形成されたスリット溝（図示せず。）から外側へ突出している。
【００１４】
ここで、滑車は回転できればどのような材質で構成されていてもよく、例えば金属製、プラスチック製であってもよい。
【００１５】
また、移動体は、移動方向に対して略平行に配置される第１の部材と移動方向に対して略垂直に配置される第２の部材とからなり、スリット溝の幅方向の長さよりも同幅方向と略同一方向の第１の部材の長さの方が長いと共に、スリット溝の幅方向の長さよりも同幅方向と略同一方向の第２の部材の長さの方が短ければ、どのような材質で構成されていてもよく、例えばポリプロピレン製、麻製、ゴム製であってもよい。更に、アーチ状突出部は、紐体本体との間に閉塞領域を形成するように紐体本体に取り付けられ（アーチ状突出部によって閉塞領域が形成され）、紐体本体の径（スリット溝の幅方向と略同一方向の長さ）よりも小さい径（スリット溝の幅方向と略同一方向の長さ）を有していればアーチ状でなくてもよく、例えば三角形状、四角形状であってもよく、また、必ずしも図１に示すように紐体本体の一方の側のみから突出していなくてもよく、紐体本体を挟んでその両側から突出していてもよい。
【００１６】
また、収容体は、回転体及び紐体本体を収容し、紐体本体の径よりも小さいと共にアーチ状突出部の径よりも大きい幅を有するスリット溝が収容体の少なくとも下方に形成されていれば、必ずしもアルミ製でなくてもよく、鉄製やプラスチック製でもよい。
【００１７】
また、取り付け具は、物干し具を構造物に取り付けられれば必ずしも物干し具に備わっていなくてもよい。また、取り付け具は、物干し具を構造物に取り付けられれば、どのような形状や材質で構成されていてもよい。
【００１８】
図２は、図１に示したＡ−Ａ'線に沿った概略断面図である。紐体本体３Ａと接する滑車回転車部２Ａの面は、紐体本体の形状と適合するよう湾曲している。また、断面円形状のアルミポール４（収容体の一例）は、滑車２と紐体本体３Ａをその内部に収容しており、アーチ状突出部３Ｂの径はスリット溝４Ａの幅よりも小さいので、アルミポールの下面に紐体本体に沿って形成されたスリット溝４Ａから、開口部３Ｃが形成されたアーチ状突出部３Ｂが下方へ突出している。スリット溝４Ａの幅は、紐体本体３Ａの径よりも小さく、紐体本体３Ａはスリット溝４Ａを通過せずにアルミポールに収容されたままである。
【００１９】
ここで、紐体本体と接する滑車回転車部の面は、紐体を巻回することができれば湾曲していなくてもよい。また、収容体は、回転体及び紐体本体を収容し、紐体本体の径よりも小さいと共にアーチ状突出部の径よりも大きい幅を有するスリット溝が収容体の少なくとも下方に形成されていれば、どのような形状のものでもよく、例えば断面三角形状のものや断面四角形状のものでもよい。
【００２０】
図３は、本考案を適用した物干し具の第２の態様を示す概略平面図である。図３に示す物干し具は、取り付け具５の代わりに、アルミポール４の両端部に、鉤状物等に掛けて物干し具を吊り下げるための吊り元部５Ａが取り付けられている点と、開口部３Ｃが形成されたアーチ状突出部３Ｂが滑車を挟んで両側に位置している点で図１に示す物干し具と異なる。ここで、吊り元部は、物干し具を構造物に取り付けられれば必ずしも物干し具に備わっていなくてもよい。
【００２１】
図４は、図３に示したＢ−Ｂ'線に沿った概略断面図である。断面円形状のアルミポール４（収容体の一例）は、滑車２、滑車を挟んで両側に位置している紐体本体３Ａ及び滑車の上側に位置している開口部３Ｃが形成されたアーチ状突出部３Ｂをその内部に収容しており、アルミポールの下面に形成されたスリット溝４Ａから、開口部３Ｃが形成されたアーチ状突出部３Ｂが下方へ突出している。ここで、収容体が回転体及びメインロープを収容できれば、スリット溝を上面にも形成して、かかるスリット溝から開口部が形成されたアーチ状突出部を上方へ突出させてもよい。
【００２２】
図５は、本発明を適用した物干し具の第３の態様を示す概略断面図である。ここで、紐体本体が断面四角形状の平板状である点及びこのような紐体本体の形状に併せて、紐体本体と接する滑車回転車部の面が凹状になっている点以外は、図４と同じである。
【００２３】
図６は、本発明を適用した物干し具の第４の態様を示す概略平面図（ａ）と、その概略底面図（ｂ）である。図６に示す物干し具は、紐体の代わりにハンガーリング６Ａ（第２の部材の一例）とハンガーリング接続材６Ｂ（第１の部材の一例）とからなる金属製の鎖６と、滑車の代わりに歯車回転車部７Ａと歯車ボルト７Ｂとからなる歯車７をそれぞれ備えている点で、図３に示す物干し具と異なる。スリット溝４Ａの幅方向の長さよりも、この幅方向と略同一方向のハンガーリング６Ａの長さの方が短いので、ハンガーリング６Ａはスリット溝４Ａを通って下方に突出しており、ハンガー８の鉤部をハンガーリング６Ａに通してハンガー８は鎖６に掛けられる。また、スリット溝４Ａの幅方向の長さよりも、この幅方向と略同一方向のハンガーリング接続材６Ｂの長さの方が長いので、ハンガーリング接続材はスリット溝を通過せず、アルミポール４に収容されたままである。また、ハンガーリング接続材は歯車７の歯とかみ合い、鎖は歯車に巻回されて移動する。
【００２４】
ここで、鎖を巻回できて鎖が移動できれば、必ずしも歯車でなくてもよく、鎖と接触する面が、凹状若しくは湾曲した滑車でもよい。また、スリット溝の幅方向の長さよりも、この幅方向と略同一方向のハンガーリングの長さの方が短く、スリット溝の幅方向の長さよりも、この幅方向と略同一方向のハンガーリング接続材の長さの方が長ければ、鎖はプラスチック製やゴム製であってもよい。
【００２５】
図７は、本考案を適用した物干し具の実施態様の一例を示す概略説明図である。物干し具は、集合住宅のベランダに設置された界壁等の構造物１０に、取り付け具５を介して固定ボルト９によって取り付けられており、洗濯物１２が掛けられたハンガー８の鉤部を物干し具のアーチ状突出部３Ｂに形成された開口部３Ｃに通してハンガー８が紐体３に掛けられており、また、他の洗濯物１２はアルミポール４に直接掛けられている。また、例えば紐体３の開口部３Ｃに紐等を通してアルミポールに結びつけることにより、紐体３が２つの滑車間を紐体移動方向１１に移動しないようにしてもよい。
【００２６】
ここで、物干し具が構造物に取り付けられれば、固定ボルトを用いなくてもよく、例えば取り付け具を界壁等の枠と嵌合させて物干し具を構造物に取り付けてもよい。
【００２７】
図８は、本考案を適用した物干し具の実施態様の他の一例を示す概略説明図である。物干し具は、一端が上側の窓枠１６に取り付けられて上側の窓枠１６に対して略垂直に延びた第１の支持棒１４に吊りロープ１３で吊り下げられており、この第１の支持棒は、一端が下側の窓枠１６に取り付けられると共にその他端が第１の支持棒と連結した第２の支持棒１５によって支えられている。第１の支持棒１４に吊り下げられた物干し具は、ベランダ１９に設置された手すり１８を越えて、ベランダ１９や屋根２０よりも外側に配置されている。
【００２８】
ここで、第１の支持棒１４を支えられれば、第２の支持棒１５の他端はサッシ１７に取り付けられてもよい。また、第１の支持棒１４のみで物干し具を支えられれば、第２の支持棒１５を用いなくてもよい。更に、物干し具を支えることができるものであれば棒状でなくてもよく、例えば板状でもよいし、金属製やプラスチック製等どのような材質で構成されていてもよい。
【００２９】
このような構成により本考案を適用した物干し具は、滑車の回転を利用して、一箇所に止まって紐体に洗濯物を順次掛けることができると共に一箇所に止まって洗濯物を順次取り込むことができる。
【００３０】
また、紐体の突出部に形成された開口部に、例えば洗濯物が掛けられたハンガーの鉤部を通してハンガーを紐体に掛けることで、単に物干し竿等にハンガーを掛けた場合に比べて風によるハンガーの移動を抑制できる。
【００３１】
更に、回転体及び紐体本体が収容体に収容されているので、洗濯物を掛けるために紐体本体をしっかりと張る必要がなく、また、洗濯物が掛けられたハンガーの鉤部を、アーチ状突出部の開口部に通してハンガーを掛けても、洗濯物の重みによる紐体の弛みを抑制できる。また、アルミポール等の収容体はその下面にスリット溝が形成されているだけであり、回転体やメインロープをその内部に収容しているので、雨等によって回転体やメインロープが濡れることを抑制できる。
【００３２】
また、窓枠等にその一端を取り付け、窓枠等に対して略垂直に延びた支持棒に物干し具を取り付けることで、ベランダの外側の空間を有効に利用することができる。また、人の出入りが出来ないほど小さな窓の窓枠等にその一端を取り付け、窓枠等に対して略垂直に延びた支持棒に物干し具を取り付けることで、通常、洗濯物を干さない、人の出入りが出来ないほど小さな窓の外側の空間をも有効に利用できる。
【図面の簡単な説明】
【００３３】
【図１】本考案を適用した物干し具の一例を示す概略平面図である。
【図２】図１に示したＡ−Ａ'線に沿った概略断面図である。
【図３】本考案を適用した物干し具の第２の態様を示す概略平面図である。
【図４】図３に示したＢ−Ｂ'線に沿った概略断面図である。
【図５】本発明を適用した物干し具の第３の態様を示す概略断面図である。
【図６】本発明を適用した物干し具の第４の態様を示す概略平面図（ａ）と、その概略底面図（ｂ）である。
【図７】本考案を適用した物干し具の実施態様の一例を示す概略説明図である。
【図８】本考案を適用した物干し具の実施態様の他の一例を示す概略説明図である。
【図９】従来の物干し具の実施態様を示す概略斜視図である。
【符号の説明】
【００３４】
１    物干し具
２    滑車
２Ａ  滑車回転車部
２Ｂ  滑車ボルト
３    紐体
３Ａ  紐体本体
３Ｂ  アーチ状突出部
３Ｃ  開口部
４    アルミポール
４Ａ  スリット溝
５    取り付け具
５Ａ  吊り元部
６    鎖
６Ａ  ハンガーリング
６Ｂ  ハンガーリング接続材
７    歯車
７Ａ  歯車回転車部
７Ｂ  歯車ボルト
８    ハンガー
９    固定ボルト
１０    構造物
１１    紐体移動方向
１２    洗濯物
１３    吊りロープ
１４    第１の支持棒
１５    第２の支持棒
１６    窓枠
１７    サッシ
１８    手すり
１９    ベランダ
２０    屋根
【図１】
0003113162.tif 000003
【図２】
0003113162.tif 000004
【図３】
0003113162.tif 000005
【図４】
0003113162.tif 000006
【図５】
0003113162.tif 000007
【図６】
0003113162.tif 000008
【図７】
0003113162.tif 000009
【図８】
0003113162.tif 000010
【図９】
0003113162.tif 000011